(57)【要約】【課題】横方向に隣接する横葺屋根材の端部同士が重なる重なり部分において、変形を抑えることができる横葺屋根構造及びカバー部材を提供する。【解決手段】横葺屋根構造１は、横方向の端部同士が重なるように接続された複数の横葺屋根材３と、カバー部材４とを備えている。カバー部材４は、横方向に隣り合う横葺屋根材３の重なり部分３５の継ぎ目３６を上方からカバーする。【選択図】図１
2019100114.tif 000002
【特許請求の範囲】
【請求項１】
横方向の端部同士が重なるように接続された複数の横葺屋根材と、
横方向に隣り合う前記横葺屋根材の重なり部分の継ぎ目を上方からカバーするカバー部材と
を備えている
ことを特徴とする横葺屋根構造。
【請求項２】
前記カバー部材は、
前記継ぎ目を覆うカバー部と、
前記カバー部において前記継ぎ目に対して横方向の両側に設けられ、軒棟方向に延びた止水材と
を備えている
請求項１記載の横葺屋根構造。
【請求項３】
前記止水材は、前記カバー部の裏面に設けられ、
前記カバー部における前記止水材に対応する部分は、他の部分よりも前記横葺屋根材側に近接するように折り曲げられている
請求項２記載の横葺屋根構造。
【請求項４】
前記横葺屋根材は、
棟側の端部に形成され、棟側に配置される別の横葺屋根材に接続される棟側接続部と、
軒側の端部に形成され、軒側に配置される別の横葺屋根材の棟側接続部に接続される軒側接続部と
を備え、
前記カバー部材は、
前記棟側接続部に保持される棟側保持部と、
前記軒側接続部に保持される軒側保持部と
を備えている
請求項１〜３のいずれか１項に記載の横葺屋根構造。
【請求項５】
横方向の端部同士が重なるように接続された複数の横葺屋根材の重なり部分に取り付けられるカバー部材であって、
横方向に隣り合う前記横葺屋根材の重なり部分の継ぎ目を上方からカバーするカバー部を備えている
カバー部材。
【発明の詳細な説明】
【技術分野】
【０００１】
本発明は、横葺屋根構造及びカバー部材に関し、より詳しくは、複数の横葺屋根材が、端部同士が重なった状態で横方向に接続された横葺屋根構造及びこれに用いられるカバー部材に関する。
【背景技術】
【０００２】
特許文献１には、従来の横葺屋根構造が開示されている。この特許文献１記載の横葺屋根構造は、軒に平行な方向（以下、横方向）に、複数の横葺屋根材が接続されて構成されている。隣り合う横葺屋根材は、一方の横葺屋根材の長手方向の端部に、他方の横葺屋根材の端部が重ねられて接続されている。
【０００３】
このように、特許文献１記載の横葺屋根構造は、隣り合う横葺屋根材の端部同士が重なるように接続されているため、隣り合う横葺屋根材の接続部分から屋根下地側への浸水を抑えることができる。
【先行技術文献】
【特許文献】
【０００４】
【特許文献１】特開２００２−３８６５８号公報
【発明の概要】
【発明が解決しようとする課題】
【０００５】
ところで、一般に、横葺屋根材の表面に沿って風が流れると、横葺屋根材の上方に負圧が生じ、横葺屋根材に対して上へ向かう力が掛かることがある。この上へ向かう力が、従来の横葺屋根構造における横葺屋根材の重なり部分に掛かると、重なり部分のうちの上側の横葺屋根材の端部が上方向に持ち上がる。このように、従来の横葺屋根構造において、重なり部分のうちの上側の横葺屋根材の端部が変形し、止水性等に影響を与えるおそれがある。
【０００６】
本発明は、上記事情に鑑み、横方向に隣接する横葺屋根材の端部同士が重なる重なり部分における変形を抑えることを目的とする。
【課題を解決するための手段】
【０００７】
本発明に係る一態様の横葺屋根構造は、横方向の端部同士が重なるように接続された複数の横葺屋根材と、横方向に隣り合う前記横葺屋根材の重なり部分の継ぎ目を上方からカバーするカバー部材とを備えている。
【０００８】
本発明に係る一態様のカバー部材は、横方向の端部同士が重なるように接続された複数の横葺屋根材の重なり部分に取り付けられるカバー部材である。カバー部材は、横方向に隣り合う横葺屋根材の重なり部分の継ぎ目を上方からカバーするカバー部を備えている。
【発明の効果】
【０００９】
本発明の横葺屋根構造及びカバー部材は、横方向に隣接する横葺屋根材の端部同士が重なる重なり部分における変形を抑えることができる、という利点がある。
【図面の簡単な説明】
【００１０】
【図１】図１は、本発明に係る一実施形態の横葺屋根構造の斜視図である。
【図２】図２Ａは、同上の横葺屋根材の斜視図である。図２Ｂは、同上の横葺屋根材の横方向の接続方法を説明する斜視図である。図２Ｃは、同上の横葺屋根材が横方向に接続された状態の斜視図である。
【図３】図３Ａは、同上のカバー部材の斜視図である。図３Ｂは、図３ＡのＡ−Ａ線断面図である。
【図４】図４Ａは、横葺屋根材に対し、カバー部材を取り付ける工程を示す斜視図である。図４Ｂは、カバー部材を取り付けた後、棟側の横葺屋根材を取り付ける工程を示す斜視図である。
【図５】図５は、変形例のカバー部材の断面図である。
【発明を実施するための形態】
【００１１】
（実施形態）
（１）概要
本実施形態に係る横葺屋根構造１は、横葺屋根材３の長手方向において、隣り合う横葺屋根材３の重なり部分３５の継ぎ目３６を覆うように、カバー部材４を取り付けた構造である。本実施形態に係る横葺屋根構造１によれば、隣り合う横葺屋根材３の重なり部分３５の継ぎ目３６をカバーすることができるので、この継ぎ目３６からの浸水を抑えることができる。
【００１２】
ここで、本実施形態では、屋根の水流れ方向を「軒方向」とし、その反対方向を「棟方向」とし、軒方向及び棟方向に平行な方向を軒棟方向として定義する。軒棟方向に直交し、かつ水平面上の方向を「横方向」として定義する。また、屋根面に直交する方向のうち、上側に向かう方向を「上方向」とし、下側に向かう方向を「下方向」として定義する。
【００１３】
本実施形態において棟とは、屋根の最も高い部分をいう。すなわち、片流れ屋根では、２つの屋根面が交わる部分が存在しない場合があるが、この場合にあっても、屋根において最も高い部分を「棟」という。また、方形屋根のような屋根の最も高い部分が水平でない場合においても、屋根において最も高い部分を「棟」という。
【００１４】
本実施形態において軒とは、屋根の下端の部分をいう。すなわち、近年、建物の外壁面から屋根が突出しないようにした構造が存在するが、この場合にあっても、屋根の下端の部分を「軒」という。
【００１５】
（２）詳細
以下、本実施形態に係る横葺屋根構造１について更に詳しく説明する。本実施形態に係る横葺屋根構造１は、建築物の屋根を含む上部に適用される構造である。本実施形態に係る建築物は、人が住む住宅建築物であるが、建築物としては、住宅建築物のほか、例えば、店舗や工場，倉庫等の非住宅建築物も挙げられる。
【００１６】
横葺屋根構造１は、様々な種類の屋根に適用可能である。屋根は、例えば、切妻屋根，寄棟屋根，片流れ屋根，方形屋根，又はこれらを組み合わせた屋根等が挙げられる。本実施形態に係る横葺屋根構造１は、屋根下地２と、複数の横葺屋根材３と、カバー部材４とを備えている。
【００１７】
屋根下地２は、横葺屋根材３の下地となる部分である。本実施形態では、屋根下地２は、棟から軒方向に延びた複数の垂木２１と、複数の垂木２１に支持される野地としての野地板２２と、野地板２２に敷かれる防水シート２３とを備えている。屋根下地２の上面（つまり、防水シート２３の上面）は、軒方向に下り傾斜している。屋根下地２には、複数の横葺屋根材３が載った状態で固定されている。
【００１８】
横葺屋根材３は、図２Ａに示すように、長手方向が横方向に平行な屋根材である。横葺屋根材３は、幅方向が軒棟方向に平行であり、かつ、長さ方向が横方向に平行であって、上下方向にみて（以下、平面視という場合がある）矩形状に形成されている。本実施形態では、横葺屋根材３は、金属製であり、具体的には鋼板により構成される。横葺屋根材３としては、例えば、鋼板，トタン，銅板，ステンレス又はチタン等で構成されてもよい。
【００１９】
横葺屋根材３は、断面略Ｚ字状に形成されており、本体部３１と、棟側接続部３２と、軒側接続部３３と、取付部３４とを備えている。本体部３１、棟側接続部３２、軒側接続部３３および取付部３４は、金属板を曲げ加工することで一体に形成されている。
【００２０】
本体部３１は、横葺屋根材３の主体を構成する部分である。本実施形態では、本体部３１の上面は、横葺屋根材３の意匠面である。本体部３１は、長手方向が横方向に平行な長方形状に形成されている。本体部３１の横方向の両端部の各々には、傾斜部３１１が形成されている。
【００２１】
傾斜部３１１は、横方向に隣接する別の横葺屋根材３に対して上方に重なると、図２Ｂに示すように、その先端が別の横葺屋根材３の上面に対向する。傾斜部３１１は、本体部３１の横方向の先端を下方向に曲げることで形成された部分である。傾斜部３１１は、本体部３１の長手方向の先端に向かって下り傾斜している。本体部３１のうち、傾斜部３１１は、他の部分よりも下方に位置している。傾斜部３１１が設けられていることで、横葺屋根材３の端部の剛性が高くなり、重なり部分３５の継ぎ目３６が開くのを抑えることができる。
【００２２】
軒側接続部３３は、軒側に配置される別の横葺屋根材３に接続される部分である。軒側接続部３３は、本体部３１の軒側の端部に設けられており、すなわち、横葺屋根材３の軒側の端部に形成されている。軒側接続部３３は、軒側に配置される別の横葺屋根材３の棟側接続部３２に接続される。軒側接続部３３は、本実施形態では、本体部３１の軒側の端部から、本体部３１の下方において、棟方向に向かうように折り曲げられて延びている。棟側接続部３２は、横方向の全長にわたって形成されている。
【００２３】
棟側接続部３２は、棟側に配置される別の横葺屋根材３に接続される部分である。棟側接続部３２は、本体部３１の棟側の端部に設けられており、すなわち、横葺屋根材３の棟側の端部に形成されている。棟側接続部３２は、棟側に配置される別の横葺屋根材３の軒側接続部３３に接続される。棟側接続部３２は、本実施形態では、本体部３１の棟側の端部から、本体部３１の上方において、軒方向に折り曲げられて延びている。棟側接続部３２は、本体部３１の横方向の全長にわたって形成されている。
【００２４】
取付部３４は、横葺屋根材３を屋根下地２に固定する部分である。取付部３４は、本実施形態では、棟側接続部３２の軒側の先端から棟方向に延びており、その先端部分が屋根下地２に載るように構成されている。取付部３４は、屋根下地２に載った状態で、屋根下地２に対して、釘等の固着具によって固定される。取付部３４は、棟側接続部３２の左右方向の長さよりも短く形成されているが、棟側接続部３２の左右方向の長さと同じ寸法であってもよい。
【００２５】
軒棟方向に隣り合う横葺屋根材３は、軒側の横葺屋根材３の棟側接続部３２に対し、棟側の横葺屋根材３の軒側接続部３３が接続される。本実施形態では、屋根下地２の軒先の上面に横葺屋根材３を固定した上で、棟方向に隣接する横葺屋根材３を接続する。この棟方向に隣接する横葺屋根材３に対して、さらに棟方向に隣接する横葺屋根材３を接続する。つまり、本実施形態に係る屋根は、軒棟方向に隣り合う横葺屋根材３の接続関係が、屋根全面にわたって適用される。
【００２６】
横葺屋根材３には、横方向にも別の横葺屋根材３が接続される。横方向に隣り合う横葺屋根材３は、図２Ｂ，２Ｃに示すように、横方向の端部同士が重なるように接続される。本実施形態では、横方向に隣り合う横葺屋根材３の接続部分を、「重なり部分３５」という場合がある。
【００２７】
重なり部分３５は、横方向に隣り合う横葺屋根材３のうちの一方の横葺屋根材３において、他方の横葺屋根材３側の端部（以下、第１端部３７）と、他方の横葺屋根材３において一方の横葺屋根材３側の端部（以下、第２端部３８）とが重なる部分である。第１端部３７は、第２端部３８の下方に重なる部分であり、横葺屋根材３の横方向の先端から横葺屋根材３の中央に向かう一定の寸法の範囲をいう。第２端部３８は、第１端部３７の上面に重なる部分であり、横葺屋根材３の横方向の先端から横葺屋根材３の中央に向かう一定の寸法の範囲をいう。
【００２８】
なお、この重なり部分３５の横方向の寸法は、特に限らない。また、「重なり部分３５」として、横葺屋根材３のうちの本体部３１のみが重なった場合であってもよいし、本体部３１，棟側接続部３２，軒側接続部３３及び取付部３４のすべてが重なった場合であってもよい。本実施形態では、重なり部分３５は、隣り合う横葺屋根材３の本体部３１，棟側接続部３２，軒側接続部３３，取付部３４が互いに重なって形成されている。
【００２９】
重なり部分３５には、継ぎ目３６が含まれる。本実施形態における継ぎ目３６は、重なり部分３５において、上側の横葺屋根材３の端部（つまり第２端部３８）の縁と、第１端部３７の上面のうちの縁に対向する部分とでなす。
【００３０】
ところで、屋根面に沿って風が吹くと、屋根面の上方に負圧が生じ、屋根面に上方向の力が掛かるときがある。すると、重なり部分３５における第２端部３８が上方向に持ち上がることが懸念される。このため、本実施形態に係る横葺屋根構造１は、この継ぎ目３６をカバーするカバー部材４を備えており、これによって、継ぎ目３６の変形を抑えることができる。
【００３１】
カバー部材４は、カバー部材４自体が剛性を有することで、重なり部分３５を補強する機能を有する。これによって、重なり部分３５に上方向に力が掛かっても、重なり部分３５が変形するのをさらに抑えることができる。カバー部材４は、図３Ａに示すように、カバー部４１と、軒側保持部４２と、棟側保持部４３と、止水材４４とを備えている。
【００３２】
カバー部４１は、横葺屋根材３の接続部の継ぎ目３６を上方からカバーする（覆う）。カバー部４１は、本実施形態では、平面視矩形状に形成されており、横葺屋根材３の本体部３１の上面に重なる。カバー部４１は、幅方向が左右方向に平行であり、長さ方向が軒棟方向に平行である。カバー部４１の幅方向の両端部のそれぞれには、曲げ部４１１が形成されている。
【００３３】
一対の曲げ部４１１は、継ぎ目３６に対して、左右方向の一方側に位置する横葺屋根材３の上面と、他方側に位置する横葺屋根材３の上面とにそれぞれ対向する。本実施形態では、各曲げ部４１１は、横葺屋根材３の上面に当たる。各曲げ部４１１は、カバー部４１の横方向の先端を下方向に曲げることで形成された部分である。各曲げ部４１１は、カバー部４１の幅方向の両端に位置する部分であり、カバー部４１のうち、中央部分よりも下方に位置する部分である。各曲げ部４１１は、縁に向かうほど下方に位置するように傾斜した傾板４１２と、傾板４１２の先端から横方向に延びた横板４１３とを備えている。曲げ部４１１が設けられていることで、カバー部４１の剛性が高くなる。この結果、重なり部分３５の剛性が高くなり、継ぎ目３６が開くのを抑えることができる。
【００３４】
また、曲げ部４１１は、上述の通り、カバー部４１の横方向の先端に向かって下り傾斜する部分を含む。すなわち、カバー部４１のうち、曲げ部４１１は他の部分よりも横葺屋根材３側に近接する。この曲げ部４１１の横板４１３の下面（裏面）には、止水材４４が設けられている。このため、止水材４４と横葺屋根材３との密着の程度を高めることができるため、カバー部４１と横葺屋根材３との間の止水性を高めることができる。
【００３５】
止水材４４は、本実施形態では、カバー部４１の左右方向の両側に設けられた一対の縦止水部４４１と、軒棟方向の棟側の端部に設けられた横止水部４４２とを備えている。一対の縦止水部４４１は、継ぎ目３６に対して横方向の両側に配置される。各縦止水部４４１は、カバー部４１の左右方向の縁に沿って形成されており、軒棟方向に延びている。横止水部４４２は、カバー部４１の棟側の縁に沿って形成されており、横方向に延びている。止水材４４は、例えば、ゴム，ウレタン又はシリコン等で構成される。なお、止水材４４は、縦止水部４４１のみであってもよい。
【００３６】
軒側保持部４２は、横葺屋根材３の軒側接続部３３に保持される。軒側保持部４２は、本実施形態では、カバー部４１の軒側の端部に設けられており、すなわち、カバー部材４の軒側の端部に形成されている。軒側保持部４２は、本実施形態では、カバー部４１の軒側の端部から棟方向に沿って延びており、カバー部４１の下方において、先端が棟方向に臨む。軒側保持部４２は、カバー部４１の横方向の全長にわたって形成されている。
【００３７】
軒側保持部４２は、横葺屋根材３の軒側接続部３３に引っ掛けられるように取り付けられる。この状態で、軒側保持部４２は、横葺屋根材３の軒側接続部３３の継ぎ目３６に跨って取り付けられるが、このとき、軒側接続部３３に対して位置保持される。つまり、本実施形態において、「軒側保持部４２が軒側接続部３３に保持される」とは、軒側保持部４２について、軒側接続部３３に対する位置が保たれることを意味する。
【００３８】
棟側保持部４３は、横葺屋根材３の棟側接続部３２に保持される。棟側保持部４３は、本実施形態では、カバー部４１の棟側の端部に設けられており、すなわち、カバー部材４の棟側の端部に形成されている。棟側保持部４３は、本実施形態では、カバー部４１の棟側の端部から、カバー部４１の上方において、折り返された部分である。棟側保持部４３は、カバー部４１の横方向の全長にわたって形成されている。
【００３９】
棟側保持部４３とカバー部４１とのなす角度は、横葺屋根材３の本体部３１と棟側接続部３２とのなす角度よりも大きいことが好ましい。すなわち、棟側保持部４３は、本実施形態では、横葺屋根材３の本体部３１と棟側接続部３２との間に差し込まれる。このため、棟側保持部４３は、棟側接続部３２に対して突っ張り、棟側接続部３２に対して位置保持される。つまり、本実施形態において、「棟側保持部４３が棟側接続部３２に保持される」とは、棟側保持部４３について、棟側接続部３２に対する位置が保たれることを意味する。
【００４０】
（３）施工
このような構成のカバー部材４は、図４Ａ，４Ｂに示すようにして取付施工される。
【００４１】
まず、図４Ａに示すように、屋根下地２に対して、複数の横葺屋根材３を取り付ける。このとき、施工者は、軒棟方向のうちの軒側の横葺屋根材３を取り付けた後に、棟側の横葺屋根材３を取り付ける。また、取り付けられた横葺屋根材３に対し、端部同士が重なるように、横方向に隣接して横葺屋根材３を配置する。このようにして、屋根下地２の全面にわたって、複数の横葺屋根材３を取り付ける。
【００４２】
次いで、カバー部材４を取り付ける。施工者は、横葺屋根材３の軒側接続部３３に対して、カバー部材４の軒側保持部４２を位置保持させると共に、棟側接続部３２に対して、棟側保持部４３を位置保持させる。このとき、施工者は、カバー部材４を、横葺屋根材３の継ぎ目３６をカバー部４１で覆うようにして、取り付ける。カバー部材４を取り付けた後、図４Ｂに示すように、その棟側の横葺屋根材３を順次取り付ける。
【００４３】
このように本実施形態に係る横葺屋根構造１によれば、横葺屋根材３の継ぎ目３６がカバーされていることで、継ぎ目３６の変形を抑えることができる。また、隣り合う横葺屋根材３の重なり部分３５に対して、カバー部材４が位置保持された状態で重なっているため、隣り合う横葺屋根材３の重なり部分３５の剛性をさらに高めることができる。
【００４４】
この結果、本実施形態に係る横葺屋根構造１によれば、万が一、横葺屋根材３の上面に雨水が長時間滞留しても、浸水を抑えることができるため、緩勾配の屋根（例えば、２寸勾配の屋根）に対しても適用することができる。また、本実施形態に係る横葺屋根構造１によれば、横葺屋根材３同士の重なり部分３５の剛性を高めることができるため、屋根面に負圧が強く掛かる、例えば高層建築物に対しても適用することができる。
【００４５】
（変形例）
上記実施形態は、本発明の様々な実施形態の一つに過ぎない。上記実施形態は、本発明の目的を達成できれば、設計等に応じて種々の変更が可能である。以下、上記実施形態の変形例を列挙する。以下に説明する変形例は、適宜組み合わせて適用可能である。
【００４６】
上記実施形態では、カバー部材４におけるカバー部４１は、平板状に形成されたが、平板状に限らない。例えば、アーチ状に形成されてもよいし、山形状に形成されてもよい。
【００４７】
上記実施形態では、止水材４４は、曲げ部４１１の横板４１３に設けられたが、図５に示すように、止水材４４は、傾板４１２に設けられてもよい。
【００４８】
上記実施形態では、カバー部４１の裏面に止水材４４が設けられたが、止水材４４はなくてもよい。また、横止水部４４２は、棟側保持部４３と軒側保持部４２に形成されてもよい。
【００４９】
（まとめ）
以上説明したように、第１の態様に係る横葺屋根構造１は、横方向の端部同士が重なるように接続された複数の横葺屋根材３と、カバー部材４とを備えている。カバー部材４は、横方向に隣り合う横葺屋根材３の重なり部分３５の継ぎ目３６を上方からカバーする。
【００５０】
この構成によれば、横葺屋根材３の継ぎ目３６がカバーされていることで、継ぎ目３６の変形を抑えることができ、止水性が損なわれるのを抑えることができる。
【００５１】
第２の態様に係る横葺屋根構造１は、第１の態様において、カバー部材４は、継ぎ目３６を覆うカバー部４１と、カバー部４１において継ぎ目３６に対して横方向の両側に設けられ、軒棟方向に延びた止水材４４とを備える。
【００５２】
この構成によれば、継ぎ目３６の両側において、カバー部材４と横葺屋根材３との間からの浸水を抑えることができるため、継ぎ目３６からの浸水を一層抑えることができる。
【００５３】
第３の態様に係る横葺屋根構造１は、第２の態様において、止水材４４が、カバー部４１の裏面に設けられる。カバー部４１における止水材４４に対応する部分は、他の部分よりも横葺屋根材３側に近接するように折り曲げられている。
【００５４】
この構成によれば、止水材４４が横葺屋根材３に対して押し付けられるため、横葺屋根材３の上面に対する止水材４４の密着の程度を高めることができ、カバー部材４と横葺屋根材３との間からの浸水を一層抑えることができる。
【００５５】
第４の態様に係る横葺屋根構造１は、第１〜３のいずれかの態様において、横葺屋根材３が、棟側接続部３２と、軒側接続部３３とを備える。棟側接続部３２は、横葺屋根材３の棟側の端部に形成されており、棟側に配置される別の横葺屋根材３に接続される。軒側接続部３３は、横葺屋根材３の軒側の端部に形成されており、軒側に配置される別の横葺屋根材３の棟側接続部３２に接続される。カバー部材４は、棟側接続部３２に保持される棟側保持部４３と、軒側接続部３３に保持される軒側保持部４２とを備える。
【００５６】
この構成によれば、横方向に隣り合う横葺屋根材３の重なり部分３５に対して、カバー部材４が保持された状態で重なっているため、隣り合う横葺屋根材３の重なり部分３５の剛性を高めることができる。
【００５７】
第５の態様に係るカバー部材４は、横方向の端部同士が重なるように接続された複数の横葺屋根材３の重なり部分３５に取り付けられるカバー部材４である。カバー部材４は、横方向に隣り合う前記横葺屋根材３の重なり部分３５の継ぎ目３６を上方からカバーするカバー部４１を備える。
【００５８】
この構成によれば、横葺屋根材３の継ぎ目３６をカバーすることができるため、横方向に隣接する横葺屋根材３同士の継ぎ目３６からの浸水を抑えることができ、横葺屋根構造１における止水性が損なわれるのを抑えることができる。
【符号の説明】
【００５９】
１        横葺屋根構造
３        横葺屋根材
３２      棟側接続部
３３      軒側接続部
３５      重なり部分
３６      継ぎ目
４        カバー部材
４１      カバー部
４２      軒側保持部
４３      棟側保持部
４４      止水材
【図１】
2019100114.tif 000003
【図２】
2019100114.tif 000004
【図３】
2019100114.tif 000005
【図４】
2019100114.tif 000006
【図５】
2019100114.tif 000007